(57)【要約】【課題】着用性を高めることが可能になる、ストールを提供すること。【解決手段】ストール１は、平布状のストール本体１０と、ストール本体１０の前端部から後方に向けて形成された長尺な切欠部２０であって、着用者の首部を挿通するための切欠部２０と、を備え、ストール本体１０は、幅方向の一方側に位置する第１ストール本体１１と、幅方向の他方側に位置する第２ストール本体１２と、第１ストール本体１１と第２ストール本体１２とを接続する接ぎ部１３であって、切欠部２０の後端部からストール本体１０の後端部に至るように形成された接ぎ部１３と、を備える。【選択図】図１
0003229111.tif 000002
【実用新案登録請求の範囲】
【請求項１】
平布状のストール本体と、
前記ストール本体の前端部から後方に向けて形成された長尺な切欠部であって、着用者の首部を挿通するための切欠部と、
を備えるストール。
【請求項２】
前記ストール本体は、
当該ストールの幅方向の一方側に位置する第１ストール本体と、
前記幅方向の他方側に位置する第２ストール本体と、
前記第１ストール本体と前記第２ストール本体とを接続する接ぎ部であって、前記切欠部の後端部から前記ストール本体の後端部に至るように形成された接ぎ部と、を備える、
請求項１に記載のストール。
【請求項３】
前記切欠部の周縁に設けられた視認部であって、前記切欠部を視認するための視認部を備える、
請求項１又は２に記載のストール。
【請求項４】
前記切欠部の周縁に設けられた補強部であって、前記切欠部の周縁を補強するための補強部を備える、
請求項１から３のいずれか一項に記載のストール。
【請求項５】
前記切欠部の近傍に設けられた留め部であって、前記切欠部を開閉自在とする留め部を備える、
請求項１から４のいずれか一項に記載のストール。
【考案の詳細な説明】
【技術分野】
【０００１】
本考案は、ストールに関する。
【背景技術】
【０００２】
従来から、着用者の肩から脱落することを抑制できるストールが提案されている。このようなストールとしては、例えば、ひし形状の本体部と、本体部における対角線の両端付近の頂点にそれぞれ設けられたボタンと、本体部における対角線の両側の領域のうち一方の領域のみに設けられたボタンホールであって、ボタンを係止可能なボタンホールと、を備えている（例えば、特許文献１参照）。
【先行技術文献】
【特許文献】
【０００３】
【特許文献１】特開２０１５−０９４０３６号公報
【考案の概要】
【考案が解決しようとする課題】
【０００４】
ここで、上記従来のストールにおいては、上述したように、本体部がひし形状であるので、着用者の首回りを覆うためには本体部を着用者の首に巻き付けなければならないため、本体部のサイズが比較的大きい場合にはストールの着用に手間を要することから、着用性の観点からは改善の余地があった。
【０００５】
本考案は、上記に鑑みてなされたものであって、着用性を高めることが可能になる、ストールを提供することを目的とする。
【課題を解決するための手段】
【０００６】
上述した課題を解決し、目的を達成するために、請求項１に記載のストールは、平布状のストール本体と、前記ストール本体の前端部から後方に向けて形成された長尺な切欠部であって、着用者の首部を挿通するための切欠部と、を備える。
【０００７】
請求項２に記載のストールは、請求項１に記載のストールにおいて、前記ストール本体は、当該ストールの幅方向の一方側に位置する第１ストール本体と、前記幅方向の他方側に位置する第２ストール本体と、前記第１ストール本体と前記第２ストール本体とを接続する接ぎ部であって、前記切欠部の後端部から前記ストール本体の後端部に至るように形成された接ぎ部と、を備える。
【０００８】
請求項３に記載のストールは、請求項１又は２に記載のストールにおいて、前記切欠部の周縁に設けられた視認部であって、前記切欠部を視認するための視認部を備える。
【０００９】
請求項４に記載のストールは、請求項１から３のいずれか一項に記載のストールにおいて、前記切欠部の周縁に設けられた補強部であって、前記切欠部の周縁を補強するための補強部を備える。
【００１０】
請求項５に記載のストールは、請求項１から４のいずれか一項に記載のストールにおいて、前記切欠部の近傍に設けられた留め部であって、前記切欠部を開閉自在とする留め部を備える。
【考案の効果】
【００１１】
請求項１に記載のストールによれば、ストール本体の前端部から後方に向けて形成された長尺な切欠部であって、着用者の首部を挿通するための切欠部を備えるので、着用者の首部が切欠部に挿通されることで、着用者の首回りを覆うことができ、ストールを簡易且つ迅速に着用できる。よって、従来技術（切欠部を有しないストール）に比べて、ストールの着用の手間を低減できるため、ストールの着用性を高めることができる。
【００１２】
請求項２に記載のストールによれば、ストール本体が、当該ストールの幅方向の一方側に位置する第１ストール本体と、幅方向の他方側に位置する第２ストール本体と、第１ストール本体と第２ストール本体とを接続する接ぎ部であって、切欠部の後端部からストール本体の後端部に至るように形成された接ぎ部と、を備えるので、ストール本体を１つのパーツで形成する場合に比べて、ストール本体の歪みを低減でき、ストール本体の製造性を高めることができる。また、接ぎ部及び切欠部を折り目としてストール本体を容易に折り畳むことができ、ストールの収納性を高めることができる。
【００１３】
請求項３に記載のストールによれば、切欠部の周縁に設けられた視認部であって、切欠部を視認するための視認部を備えるので、切欠部の視認性を高めることができ、着用者の首部を切欠部に挿通しやすくなる。
【００１４】
請求項４に記載のストールによれば、切欠部の周縁に設けられた補強部であって、切欠部の周縁を補強するための補強部を備えるので、切欠部の周縁を補強でき、切欠部の周縁が損傷することを抑制できる。
【００１５】
請求項５に記載のストールによれば、切欠部の近傍に設けられた留め部であって、切欠部を開閉自在とする留め部を備えるので、切欠部を開閉自在にでき、ストールの着用性を高めることができる。
【図面の簡単な説明】
【００１６】
【図１】本考案の実施の形態に係るストールを示す図であり、（ａ）は平面図、（ｂ）は底面図である。
【図２】着用者がストールを着用した状態を示す正面図である。
【考案を実施するための形態】
【００１７】
以下に添付図面を参照して、この考案に係るストールの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本考案が限定されるものではない。
【００１８】
〔Ｉ〕実施の形態の基本的概念
最初に、実施の形態の基本的概念について説明する。実施の形態は、概略的に、着用者が防寒のために着用するストールに関するものである。
【００１９】
ここで、「着用者」とは、ストールを着用する対象者を意味し、例えば、病院等で所定の検診を受ける検診者、病院や災害避難所で診察又は治療を受ける患者、介護施設に入所している要介護者、病院等に従事している医療従事者（一例として、医師、看護師）等を含む概念である。
【００２０】
また、ストールの具体的な種類は任意であるが、例えば、医療用（一例として、診療用、リハビリ用等）のストール、介護用のストール等を含む概念である。
【００２１】
以下、実施の形態では、ストールが、病院等で所定の検診を受ける検診者が着用する診療用のストールである場合について説明する。
【００２２】
〔ＩＩ〕実施の形態の具体的内容
次に、実施の形態の具体的内容について説明する。
【００２３】
（構成）
最初に、実施の形態に係るストールの構成について説明する。図１は、本考案の実施の形態に係るストールを示す図であり、（ａ）は平面図、（ｂ）は底面図である。図２は、着用者がストールを着用した状態を示す正面図である。以下の説明では、図１のＸ方向を左右方向又は幅方向（着用者（具体的には、検診者）から見た方向を基準とするものとし、−Ｘ方向を右方向、＋Ｘ方向を左方向）、図１のＹ方向を前後方向（＋Ｙ方向を前方向、−Ｙ方向を後方向）、図２のＺ方向を上下方向（＋Ｚ方向を上方向、−Ｚ方向を下方向）と称する。
【００２４】
図１、図２に示すように、ストール１は、ストール本体１０（平布状のストール本体１０）、切欠部２０、視認部３０、補強部４０、及び留め部５０を備えている。
【００２５】
（構成−ストール本体）
図１に戻り、ストール本体１０は、ストール１の基本構造体であり、図１に示すように、第１ストール本体１１、第２ストール本体１２、及び接ぎ部１３を備えている。
【００２６】
（構成−ストール本体−第１ストール本体）
第１ストール本体１１は、ストール本体１０の基本構造体の一部である。この第１ストール本体１１は、平布状体にて形成されており、図１に示すように、ストール１の幅方向の一方側（図１では、右側）に位置するように配置されている。
【００２７】
また、第１ストール本体１１の具体的な形状及び大きさについては任意であるが、実施の形態では以下の通りに設定している（なお、第２ストール本体１２の形状及び大きさについても略同様とする）。
【００２８】
すなわち、図１に示すように、第１ストール本体１１の平面形状については、略矩形状に設定している。ただし、これに限らず、例えば、略台形状、略半円形状、又は略扇形状に設定してもよい。
【００２９】
また、第１ストール本体１１の左右方向の長さについては、図２に示すように、着用者がストール１を着用した状態（以下、「着用状態」と称する）において、着用者の右肩部から右腕部に至る範囲を覆うことが可能な長さに設定しており、例えば、４０ｃｍ〜６０ｃｍ程度の長さに設定している。ただし、これに限らず、例えば、着用者の右肩部のみを覆うように、４０ｃｍ未満の長さに設定してもよい。あるいは、６０ｃｍを上回る長さに設定してもよい。
【００３０】
また、第１ストール本体１１の前後方向の長さについては、図２に示すように、着用状態において、着用者の右腹部、右肩部、及び右背中部に至る範囲を覆うことが可能な長さに設定しており、例えば、１１０ｃｍ〜１３０ｃｍ程度の長さに設定している。ただし、これに限らず、着用者の右肩部のみを覆うように、例えば、１１０ｃｍ未満の長さに設定してもよい。あるいは、１３０ｃｍを上回る長さに設定してもよい。
【００３１】
また、第１ストール本体１１の上下方向の長さ（厚さ）については、防寒性を維持しながら軽量化を図ることが可能な長さに設定しており、例えば、第１ストール本体１１の材質に応じた長さに設定してもよい。
【００３２】
また、第１ストール本体１１の材質については任意であるが、例えば、防寒性が高く、且つ着用者が着用しやすい材質で形成されることが望ましく、一例として、軽量且つ伸縮性を有する公知の織物素材や、表地をポリエステル材とし、裏地を綿材（又はキュプラ材）とした公知の多層ニット素材、又はこれらを組み合わせたもの等にて形成されてもよい（なお、第２ストール本体１２の材質についても略同様とする）。
【００３３】
また、第１ストール本体１１のその他の構成については任意であるが、実施の形態では、第１ストール本体１１の端部（図１では、接ぎ部１３及び切欠部２０の周縁に対応する端部以外の端部（第１ストール本体１１の前端部、右端部、後端部））が偏平縫いにより処理されている（なお、第２ストール本体１２の構成についても略同様とする）。ただし、これに限らず、例えば、偏平縫い以外の他の縫合方法（一例として、本縫い、インターロック縫い等）により処理されてもよい。あるいは、第１ストール本体１１の端部及びその近傍部分をパイピング状に折り畳んだものを縫着等にて固定することにより、これらの部分の強度を高めてもよい。
【００３４】
（構成−ストール本体−第２ストール本体）
第２ストール本体１２は、ストール本体１０の基本構造体の他の一部である。この第２ストール本体１２は、第１ストール本体１１と略同一に構成されており（具体的には、第２ストール本体１２の形状及び大きさ等）、図１に示すように、ストール１の幅方向の他方側（図１では、左側）に位置するように配置されている。
【００３５】
（構成−ストール本体−接ぎ部）
接ぎ部１３は、第１ストール本体１１と第２ストール本体１２とを接続するものである。この接ぎ部１３は、例えば公知の縫製構造（一例として、本返し縫い構造）を用いて構成されており、図１に示すように、第１ストール本体１１と第２ストール本体１２との相互間に設けられ、第１ストール本体１１及び第２ストール本体１２に対して接続されている。
【００３６】
このようなストール本体１０により、ストール本体１０を１つのパーツで形成する場合に比べて、ストール本体１０の歪みを低減でき、ストール本体１０の製造性を高めることができる。
【００３７】
（構成−切欠部）
切欠部２０は、着用者の首部を挿通するためのものである。この切欠部２０は、ストール本体１０（第１ストール本体１１、第２ストール本体１２）を切り欠くことにより形成されている。具体的には、図１に示すように、ストール本体１０（図１では、第１ストール本体１１と第２ストール本体１２との境界部）の前端部から後方に向けて長尺状に形成されている。
【００３８】
また、切欠部２０の具体的な形状及び大きさについては任意であるが、実施の形態では以下の通りに設定している。
【００３９】
すなわち、図１に示すように、切欠部２０の平面形状については、略矩形状に設定している。ただし、これに限らず、例えば、略三角形状、略直線状、又は略曲線状等に設定してもよい。
【００４０】
また、切欠部２０の左右方向の長さについては、着用者の首部を容易に着用することが可能な長さに設定しており、例えば、３ｃｍ〜５ｃｍ程度の長さに設定している。ただし、これに限らず、例えば、例えば、３ｃｍ未満の長さに設定してもよく、あるいは、５ｃｍを上回る長さに設定してもよい。
【００４１】
また、切欠部２０の前後方向の長さについては、図２に示すように、着用状態において、着用者の右腹部から首部に至る範囲を開くことが可能な長さに設定しており、例えば、６０ｃｍ〜８０ｃｍ程度の長さに設定している。ただし、これに限らず、例えば、例えば、６０ｃｍ未満の長さに設定してもよく、あるいは、８０ｃｍを上回る長さに設定してもよい。
【００４２】
このような切欠部２０により、着用者の首部が切欠部２０に挿通されることで、着用者の首回りを覆うことができ、ストール１を簡易且つ迅速に着用できる。
【００４３】
なお、上記切欠部２０の構成において、接ぎ部１３の形成方法については任意であるが、実施の形態では、図１に示すように、切欠部２０の後端部からストール本体１０の後端部に至るように形成している。
【００４４】
これにより、接ぎ部１３及び切欠部２０を折り目としてストール本体１０を容易に折り畳むことができ、ストール１の収納性を高めることができる。
【００４５】
（構成−視認部）
視認部３０は、切欠部２０を視認するためのものである。この視認部３０は、例えば略シート状体にて形成されており、切欠部２０の周縁に設けられている。具体的には、図１に示すように、切欠部２０の周縁全体（より具体的には、当該周縁の上面及び下面）にわたって設けられており、補強部４０に対して接続されている。ただし、これに限らず、例えば、切欠部２０の周縁の一部のみに設けられてもよい。
【００４６】
また、視認部３０の幅については任意であるが、実施の形態では、着用者がストール１を着用する際に視認部３０を視認可能な長さに設定しており、例えば、１ｃｍ程度に設定している。ただし、これに限らず、例えば、１ｃｍ未満の長さに設定してもよく、あるいは、１ｃｍを上回る長さに設定してもよい。
【００４７】
また、視認部３０の形成方法については任意であるが、実施の形態では、ストール本体１０の色彩とは異なる色彩である公知のテープ材（例えば、ニットテープ等）を補強部４０（又はストール本体１０）に貼り付けることにより、形成している。ただし、これに限らず、例えば、ストール本体１０の色彩とは異なる色彩である公知の布材を補強部４０（又はストール本体１０）に対して縫着等にて固定することにより、形成してもよい。
【００４８】
このような視認部３０により、切欠部２０の視認性を高めることができ、着用者の首部を切欠部２０に挿通しやすくなる。
【００４９】
（構成−補強部）
補強部４０は、切欠部２０の周縁を補強するためのものである。この補強部４０は、切欠部２０の周縁に設けられており、具体的には、図１に示すように、切欠部２０の周縁全体にわたって設けられている。ただし、これに限らず、例えば、切欠部２０の周縁の一部のみに設けられてもよい。
【００５０】
また、補強部４０の幅については任意であるが、実施の形態では、ストール１の着用性を維持しながら、切欠部２０の周縁を補強可能な長さに設定しており、例えば、１ｃｍ程度に設定している。ただし、これに限らず、例えば、１ｃｍ未満の長さに設定してもよく、あるいは、１ｃｍを上回る長さに設定してもよい。
【００５１】
また、補強部４０の形成方法については任意であるが、実施の形態では、ストール本体１０の一部をパイピング状に折り畳んだものを縫着等にて固定することにより、形成している。これにより、ストール１の部品数を減らすことができ、ストール１の製造性を高めることができる。
【００５２】
ただし、これに限らず、例えば、ストール本体１０とは別体に形成された補強材（例えば、ストール本体１０よりも強度を有する布材等）を、ストール本体１０に対して縫着等にて固定することにより、形成してもよい。
【００５３】
このような補強部４０により、切欠部２０の周縁を補強でき、切欠部２０の周縁が損傷することを抑制できる。
【００５４】
（構成−留め部）
留め部５０は、切欠部２０を開閉自在とするものである。この留め部５０は、公知の留め構造（例えば、係止構造）を用いて構成されている。具体的には、図１に示すように、第１ストール本体１１に設けられた係止部５１と、第２ストール本体１２に設けられた被係止部５２であって、係止部５１によって係止される被係止部５２とを備えている。ただし、これに限らず。例えば、係止構造以外の留め構造（一例として、嵌合構造）を用いて構成されてもよい。
【００５５】
また、留め部５０の設置方法については任意であるが、実施の形態では、留め部５０を切欠部２０の周縁部の近傍に設置している。具体的には、図１に示すように、係止部５１を第１ストール本体１１における切欠部２０の周縁部であって、当該周縁部の前後方向の略中央部に設置していると共に、被係止部５２を第２ストール本体１２における切欠部２０の周縁部であって、当該周縁部の前後方向の略中央部に設置している。これにより、着用状態において着用者が留め部５０を操作しやすく、且つ切欠部２０を効果的に閉鎖することが可能となる。
【００５６】
このような留め部５０により、切欠部２０を開閉自在にでき、ストール１の着用性を高めることができる。
【００５７】
以上のようなストール１により、従来技術（切欠部２０を有しないストール）に比べて、ストール１の着用の手間を低減できるため、ストール１の着用性を高めることができる。
【００５８】
（ストールの作用）
続いて、このように構成されたストール１の作用について説明する。
【００５９】
このストール１の作用は、着用者がストール１を着用する際の作用（以下、「第１作用」と称する）と、着用者がストール１を取り外す際の作用（以下、「第２作用」と称する）とに大別される。
【００６０】
（ストールの作用−第１作用）
最初に、第１作用について説明する。
【００６１】
例えば、着用者によって、当該着用者の首部が切欠部２０に挿通されながら、ストール本体１０で当該着用者の上半身が覆われた後、留め部５０で切欠部２０が閉鎖されることで、図２に示すように、ストール１を着用者に着用することができる。
【００６２】
ここで、首部が切欠部２０に挿通される際に、視認部３０によって切欠部２０が視認しやすくなるため、首部を切欠部２０に挿通しやすくなる。
【００６３】
（ストールの作用−第２作用）
次に、第２作用について説明する。
【００６４】
例えば、着用者によって、留め部５０で切欠部２０が開放された後、当該着用者の首部が切欠部２０から引き抜きながら、ストール本体１０から当該着用者の上半身が覆われなくなることで、ストール１を着用者から取り外すことができる。
【００６５】
なお、上記取り外されたストール１のストール本体１０は、接ぎ部１３及び切欠部２０を折り目として折り畳みやすいことから、当該折り畳みによってストール１の収納性を高めることができる。
【００６６】
（実施の形態の効果）
このように実施の形態によれば、ストール本体１０の前端部から後方に向けて形成された長尺な切欠部２０であって、着用者の首部を挿通するための切欠部２０を備えるので、着用者の首部が切欠部２０に挿通されることで、着用者の首回りを覆うことができ、ストール１を簡易且つ迅速に着用できる。よって、従来技術（切欠部２０を有しないストール）に比べて、ストール１の着用の手間を低減できるため、ストール１の着用性を高めることができる。
【００６７】
また、ストール本体１０が、当該ストール１の幅方向の一方側に位置する第１ストール本体１１と、幅方向の他方側に位置する第２ストール本体１２と、第１ストール本体１１と第２ストール本体１２とを接続する接ぎ部１３であって、切欠部２０の後端部からストール本体１０の後端部に至るように形成された接ぎ部１３と、を備えるので、ストール本体１０を１つのパーツで形成する場合に比べて、ストール本体１０の歪みを低減でき、ストール本体１０の製造性を高めることができる。また、接ぎ部１３及び切欠部２０を折り目としてストール本体１０を容易に折り畳むことができ、ストール１の収納性を高めることができる。
【００６８】
また、切欠部２０の周縁に設けられた視認部３０であって、切欠部２０を視認するための視認部３０を備えるので、切欠部２０の視認性を高めることができ、着用者の首部を切欠部２０に挿通しやすくなる。
【００６９】
また、切欠部２０の周縁に設けられた補強部４０であって、切欠部２０の周縁を補強するための補強部４０を備えるので、切欠部２０の周縁を補強でき、切欠部２０の周縁が損傷することを抑制できる。
【００７０】
また、切欠部２０の近傍に設けられた留め部５０であって、切欠部２０を開閉自在とする留め部５０を備えるので、切欠部２０を開閉自在にでき、ストール１の着用性を高めることができる。
【００７１】
〔ＩＩＩ〕実施の形態に対する変形例
以上、本考案に係る実施の形態について説明したが、本考案の具体的な構成及び手段は、実用新案登録請求の範囲に記載した各考案の技術的思想の範囲内において、任意に改変及び改良することができる。以下、このような変形例について説明する。
【００７２】
（解決しようとする課題や考案の効果について）
まず、考案が解決しようとする課題や考案の効果は、上述の内容に限定されるものではなく、考案の実施環境や構成の細部に応じて異なる可能性があり、上述した課題の一部のみを解決したり、上述した効果の一部のみを奏したりすることがある。
【００７３】
（形状、数値、構造、時系列について）
上記実施の形態や図面において例示した構成要素に関して、形状、数値、又は複数の構成要素の構造若しくは時系列の相互関係については、本考案の技術的思想の範囲内において、任意に改変及び改良することができる。例えば、ストール本体１０における各部は、特記する場合を除いて、上記説明とは異なる形状、方法、及び材質で製造することができる。
【００７４】
（ストールについて）
上記実施の形態では、ストール１が、視認部３０、補強部４０、及び留め部５０を備えていると説明したが、これに限らず、例えば、視認部３０、補強部４０、又は留め部５０の少なくともいずれか１つを省略してもよい。
【００７５】
（ストール本体について）
上記実施の形態では、ストール本体１０が２つのパーツ（第１ストール本体１１、第２ストール本体１２）で構成されていると説明したが、これに限らず、例えば、１つのパーツで構成されてもよく、あるいは、３つ以上のパーツで構成されてもよい。
【００７６】
なお、ストール本体１０が１つのパーツで構成される場合には、接ぎ部１３を省略でき、ストール本体１０が３つ以上のパーツで構成される場合には、ストール本体１０は複数の接ぎ部１３を備えることになる。
【００７７】
また、上記実施の形態では、第２ストール本体１２が、第１ストール本体１１と略同一に構成されていると説明したが、これに限らず、例えば、第１ストール本体１１と非同一に構成されてもよい（一例として、第２ストール本体１２の形状又は大きさが、第１ストール本体１１の形状又は大きさと異なってもよい）。
【００７８】
（留め部について）
上記実施の形態では、留め部５０の設置数が１つであると説明したが、これに限らず、例えば、２つ以上であってもよい。
【００７９】
（付記）
付記１のストールは、平布状のストール本体と、前記ストール本体の前端部から後方に向けて形成された長尺な切欠部であって、着用者の首部を挿通するための切欠部と、を備える。
【００８０】
付記２のストールは、付記１に記載のストールにおいて、前記ストール本体は、当該ストールの幅方向の一方側に位置する第１ストール本体と、前記幅方向の他方側に位置する第２ストール本体と、前記第１ストール本体と前記第２ストール本体とを接続する接ぎ部であって、前記切欠部の後端部から前記ストール本体の後端部に至るように形成された接ぎ部と、を備える。
【００８１】
付記３のストールは、付記１又は２に記載のストールにおいて、前記切欠部の周縁に設けられた視認部であって、前記切欠部を視認するための視認部を備える。
【００８２】
付記４のストールは、付記１から３のいずれか一項に記載のストールにおいて、前記切欠部の周縁に設けられた補強部であって、前記切欠部の周縁を補強するための補強部を備える。
【００８３】
付記５のストールは、付記１から４のいずれか一項に記載のストールにおいて、前記切欠部の近傍に設けられた留め部であって、前記切欠部を開閉自在とする留め部を備える。
【００８４】
（付記の効果）
付記１に記載のストールによれば、ストール本体の前端部から後方に向けて形成された長尺な切欠部であって、着用者の首部を挿通するための切欠部を備えるので、着用者の首部が切欠部に挿通されることで、着用者の首回りを覆うことができ、ストールを簡易且つ迅速に着用できる。よって、従来技術（切欠部を有しないストール）に比べて、ストールの着用の手間を低減できるため、ストールの着用性を高めることができる。
【００８５】
付記２に記載のストールによれば、ストール本体が、当該ストールの幅方向の一方側に位置する第１ストール本体と、幅方向の他方側に位置する第２ストール本体と、第１ストール本体と第２ストール本体とを接続する接ぎ部であって、切欠部の後端部からストール本体の後端部に至るように形成された接ぎ部と、を備えるので、ストール本体を１つのパーツで形成する場合に比べて、ストール本体の歪みを低減でき、ストール本体の製造性を高めることができる。また、接ぎ部及び切欠部を折り目としてストール本体を容易に折り畳むことができ、ストールの収納性を高めることができる。
【００８６】
付記３に記載のストールによれば、切欠部の周縁に設けられた視認部であって、切欠部を視認するための視認部を備えるので、切欠部の視認性を高めることができ、着用者の首部を切欠部に挿通しやすくなる。
【００８７】
付記４に記載のストールによれば、切欠部の周縁に設けられた補強部であって、切欠部の周縁を補強するための補強部を備えるので、切欠部の周縁を補強でき、切欠部の周縁が損傷することを抑制できる。
【００８８】
付記５に記載のストールによれば、切欠部の近傍に設けられた留め部であって、切欠部を開閉自在とする留め部を備えるので、切欠部を開閉自在にでき、ストールの着用性を高めることができる。
【符号の説明】
【００８９】
１  ストール
１０  ストール本体
１１  第１ストール本体
１２  第２ストール本体
１３  接ぎ部
２０  切欠部
３０  視認部
４０  補強部
５０  留め部
５１  係止部
５２  被係止部
【図１】
0003229111.tif 000003
【図２】
0003229111.tif 000004